(57)【要約】【課題】ポート部に蓋をした状態で、連結部が側方に大きく飛び出さないキャップを実現できるようにする。【解決手段】キャップ１１０は、取り付け対象のポート部１５１に蓋をするスクリュー式のキャップ本体１１１と、ポート部１５１の胴部に着脱自在に且つ回転可能に取り付けることができるリング部１１２と、キャップ本体１１１とリング部１１２とを連結する連結部１１３とを備えている。リング部１１２をポート部１５１の胴部に取り付け、キャップ本体１１１によりポート部１５１に蓋をして、キャップ本体１１１の天面１２３側から平面視した際に、連結部１１３は、キャップ本体１１１側に位置する第１の屈曲部１１５と、リング部１１２側に位置する第２の屈曲部１１６と、第１の屈曲部１１５と第２の屈曲部１１６との間に位置し、ポート部１５１の外周に沿って延びる中間部１１７とを有する。【選択図】図３
2018157919.tif 000002
【特許請求の範囲】
【請求項１】
取り付け対象のポート部に蓋をするスクリュー式のキャップ本体と、
前記ポート部の胴部に着脱自在に且つ回転可能に取り付けることができるリング部と、
前記キャップ本体と前記リング部とを連結する連結部とを備え、
前記リング部を前記ポート部の胴部に取り付け、前記キャップ本体により前記ポート部に蓋をして、前記キャップ本体の天面側から平面視した際に、前記連結部は、前記キャップ本体側に位置する第１の屈曲部と、前記リング部側に位置する第２の屈曲部と、前記第１の屈曲部と前記第２の屈曲部との間に位置し、前記ポート部の外周に沿って延びる中間部とを有する、キャップ。
【請求項２】
前記キャップ本体と、前記第１の屈曲部との距離は、前記連結部の長さの１／３以下、１／１０以上であり、
前記リング部と、前記第２の屈曲部との距離は、前記連結部の長さの１／３以下、１／１０以上である、請求項１に記載のキャップ。
【請求項３】
前記連結部は、前記連結部の他の部分よりも肉薄となった肉薄部を有し、
前記肉薄部は、前記リング部を前記ポート部の胴部に取り付け、前記キャップ本体により前記ポート部に蓋をした際に、前記屈曲部となる、請求項１又は２に記載のキャップ。
【請求項４】
前記リング部を前記ポート部の胴部に取り付け、前記キャップ本体により前記ポート部に蓋をした際に、前記連結部が前記キャップ本体に接続された位置と前記キャップ本体の中心とを結ぶ直線と、前記連結部が前記リング部に接続された位置と前記キャップ本体の中心とを結ぶ直線とがなす角は、３０°以上、２７０°以下である、請求項１〜３のいずれか１項に記載のキャップ。
【請求項５】
請求項１〜４のいずれか１項に記載のキャップと、
前記リング部が取り付けられたコネクタ本体とを備えている、医療用コネクタ。
【請求項６】
前記キャップは、前記連結部に捻れが無い状態において、前記キャップ本体の天面と前記ポート部の開口とが同じ側となるように、前記コネクタ本体に取り付けられている、請求項５に記載の医療用コネクタ。
【発明の詳細な説明】
【技術分野】
【０００１】
本開示は、医療用機器のキャップに関する。
【背景技術】
【０００２】
血液回路等の流体回路には、他の流体回路等と接続するためのコネクタを設けることが一般的である。使用されていないコネクタには、液体の流出やほこりの侵入等を防ぐために、コネクタのポート部に蓋をするキャップが取り付けられることが一般的である。コネクタを使用する際にキャップはポート部から取り外され、使用が終わるとキャップは再びポート部に取り付けられる。スクリュー式のキャップは、スナップ式のキャップと比べて不用意な脱落が生じにくく、安全性の面で優れている。
【０００３】
一方、ポート部から取り外したキャップを落としたり、紛失したりすることを防ぐために、キャップとコネクタとを連結することが行われている。スクリュー式のキャップの場合、キャップはポート部に対して、自由に回転できるようにする必要がある。このため、ポート部の胴部にリング部を回転自在に取り付け、リング部とキャップの本体とを連結部により連結したキャップが提案されている（例えば、特許文献１を参照。）。連結部は邪魔にならないようにできるだけ短くすることが一般的である。
【先行技術文献】
【特許文献】
【０００４】
【特許文献１】特開２０１５−５４１３７号公報
【発明の概要】
【発明が解決しようとする課題】
【０００５】
しかしながら、従来のキャップには、ポート部に蓋をした際に、連結部がキャップ本体から側方へ大きく飛び出すという問題がある。側方へ大きく飛び出した連結部は、操作の邪魔になるだけでなく、流体回路の包装を傷つけたり、破損したりする原因となる。また、保管及び運搬等の際に大きく飛び出した連結部に集中的に力が加わり、連結部が破損する原因ともなる。
【０００６】
一方、連結部の長さをどんどん短くすると操作性が低下し、最終的にはキャップをポート部から取り外すことができなくなる。キャップの操作性を犠牲にして、連結部の長さをポート部から取り外しが可能な最短長としたとしても、連結部が大きく飛び出した状態を解消することは困難である。
【０００７】
流体回路に限らず、コネクタを有している医療用装置においては同様の問題が発生する。また、医療用装置に限らず、コネクタを有している他の装置等においても同様の問題が発生する。
【０００８】
本開示の課題は、ポート部に蓋をした状態において、連結部が大きく側方に飛び出さないキャップを実現できるようにすることである。
【課題を解決するための手段】
【０００９】
本開示のキャップの一態様は、取り付け対象のポート部に蓋をするスクリュー式のキャップ本体と、ポート部の胴部に着脱自在に且つ回転可能に取り付けることができるリング部と、キャップ本体とリング部とを連結する連結部とを備え、リング部をポート部の胴部に取り付け、キャップ本体によりポート部に蓋をして、キャップ本体の天面側から平面視した際に、連結部は、キャップ本体側に位置する第１の屈曲部と、リング部側に位置する第２の屈曲部と、第１の屈曲部と第２の屈曲部との間に位置し、ポート部の外周に沿って延びる中間部とを有する。
【００１０】
このような構成とすることにより、連結部がポート部の外周に沿って延び、取り付け対象の外側に大きく飛び出さないようにすることができる。
【００１１】
キャップの一態様において、キャップ本体と、第１の屈曲部との距離は、連結部の長さの１／３以下、１／１０以上であり、リング部と、第２の屈曲部との距離は、連結部の長さの１／３以下、１／１０以上とすることができる。このような構成とすることにより、キャップの操作性を確保しつつ、連結部の側方への飛び出しを非常に小さくすることができる。
【００１２】
キャップの一態様において、連結部は、連結部の他の部分よりも肉薄となった肉薄部を有し、肉薄部は、リング部をポート部の胴部に取り付け、キャップ本体によりポート部に蓋をした際に、屈曲部となるようにできる。このようにすることにより、連結部の所定の位置に屈曲部を容易に設けることができる。
【００１３】
キャップの一態様において、リング部をポート部の胴部に取り付け、キャップ本体によりポート部に蓋をした際に、連結部がキャップ本体に接続された位置とキャップ本体の中心とを結ぶ直線と、連結部がリング部に接続された位置とキャップ本体の中心とを結ぶ直線とがなす角は、３０°以上、２７０°以下とすることができる。このような構成とすることにより、キャップの操作性を確保しつつ、連結部の側方への飛び出しを非常に小さくすることができる。
【００１４】
本開示の医療用コネクタの一態様は、本開示のキャップと、リング部が取り付けられたコネクタ本体とを備えている。このような構成とすることにより、キャップの操作が容易で且つ連結部の側方への飛び出しが小さいコネクタを実現できる。
【００１５】
医療用コネクタの一態様において、キャップは、連結部に捻れが無い状態において、キャップ本体の天面とポート部の開口とが同じ側となるように、コネクタ本体に取り付けることができる。このような構成とすることにより、キャップ本体を開放した際に、キャップ本体がポート部の側方に押し出されるため、キャップの操作が容易となる。また、連結部の捻れを小さくして、連結部が破断しにくくできる。
【発明の効果】
【００１６】
本開示のキャップによれば、ポート部に蓋をした状態で、連結部が側方に大きく飛び出さないようにすることができる。
【図面の簡単な説明】
【００１７】
【図１】一実施形態に係るキャップを示す斜視図である。
【図２】一実施形態に係るキャップをコネクタに取り付け、ポート部を開放した状態を示す斜視図である。
【図３】一実施形態に係るキャップをコネクタに取り付け、ポート部に蓋をした状態を示す斜視図である。
【図４】一実施形態に係るキャップをコネクタに取り付け、ポート部に蓋をした状態を示す平面図である。
【図５】図４のＶ−Ｖ線における断面図である。
【図６】一実施形態に係るキャップの天面を上にしてコネクタに取り付けた状態を示す斜視図である。
【図７】従来のキャップ付コネクタを示す斜視図である。
【発明を実施するための形態】
【００１８】
図１〜図５に示すように、本実施形態のキャップ１１０は、コネクタ１５０のポート部１５１に取り付けて蓋をすることができるスクリュー式のキャップ本体１１１と、ポート部１５１の胴部に着脱自在に且つ回転可能に取り付けることができるリング部１１２と、キャップ本体１１１とリング部１１２とを連結する連結部１１３とを備えている。
【００１９】
図２及び図３に示すように、リング部１１２をコネクタ１５０のポート部１５１の胴部に取り付け、キャップ本体１１１によりポート部１５１に蓋をした状態において、連結部１１３は、キャップ本体１１１の天面１２３側から平面視した際に、２つの屈曲部１１５を有する。
【００２０】
取り付け対象であるコネクタ１５０は、特に限定されないが、医療用のメスルアコネクタとすることができる。コネクタ１５０は、オスコネクタを受け入れる筒状のポート部１５１を有しており、ポート部１５１の外周にはロック用のねじ山１５３が設けられている。
【００２１】
本実施形態のキャップ本体１１１は、天面１２３を有する筒状であり、内面にポート部１５１のねじ山１５３と係合するねじ山１２１が設けられている。また、キャップ本体１１１の内部には軸方向に突出する突部１２５が設けられている。突部１２５は、オステーパとなっておりポート部１５１の開口に内嵌する。突部１２５の外周面とポート部１５１の開口の内周面とは、液密性を確保するため隙間無く密着するように構成することができる。なお、突部１２５は必要に応じて設ければよく、天面１２３の内面を平坦面とすることもできる。
【００２２】
キャップ本体１１１は、指等で把持して回転させることにより、ねじ山１２１をポート部１５１のねじ山１５３に係合させて、ポート部１５１に取り付け、ポート部１５１の開口を閉止して蓋をすることができる。また、逆方向に回転させることにより、キャップ本体１１１をポート部１５１から取り外し、ポート部１５１を開放すことができる。通常の場合、キャップ本体１１１を１／３回転〜３回転程度させることにより、ポート部１５１にロックして蓋をすることができ、逆方向に１／３回転〜３回転程度させることにより、ポート部１５１から取り外して開放状態とすることができる。キャップ本体１１１の外周面には、把持を容易にするために、凹凸等を設けることができる。
【００２３】
リング部１１２は、ポート部１５１の胴部の外径よりも僅かに大きい内径を有しており、ポート部１５１の胴部に取り付けた際に自由に回転させることができる。また、リング部１１２は、脱落を防止する観点から、ポート部１５１に設けられたねじ山１５３の外径よりも僅かに小さい内径を有していることが好ましい。通常のねじ山を有するメスルアコネクタの場合、自由に回転させるという観点から、リング部１１２の内径は、ねじ山１５３の外径の、好ましくは８０％以上、より好ましくは８５％以上、さらに好ましくは９２％以上である。また、脱落しにくくする観点から、リング部１１２の内径は、ねじ山１５３の外径の好ましくは９９．９％以下、より好ましくは９９％以下、さらに好ましくは９８％以下である。
【００２４】
リング部１１２は、全周が完全に繋がったリングとすることができるが、ポート部１５１の胴部への取り付けを容易にするために、切れ目が設けられた構成とすることもできる。また、切欠きを有するＣリング状とすることもできる。
【００２５】
連結部１１３は、キャップ本体１１１とリング部１１２とを連結する板状の部材である。図１に示すように、連結部１１３には、キャップ本体１１１側に第１の屈曲形成部１３１が設けられ、リング部１１２側に第２の屈曲形成部１３２が設けられている。キャップ１１０を使用する際に、第１の屈曲形成部１３１は第１の屈曲部１１５となり、第２の屈曲形成部１３２は第２の屈曲部１１６となる。本実施形態において第１の屈曲形成部１３１及び第２の屈曲形成部１３２は、連結部１１３の他の部分よりも肉厚が薄い肉薄部である。
【００２６】
図４及び図５に示すように、本実施形態のキャップ１１０のリング部１１２をコネクタ１５０のポート部１５１の胴部に取り付け、キャップ本体１１１によりポート部１５１に蓋をして、ポート部１５１を閉止した状態とすると、第１の屈曲形成部１３１及び第２の屈曲形成部１３２において連結部１１３が屈曲して、キャップ本体１１１側の第１の屈曲部１１５と、リング部１１２側の第２の屈曲部１１６とが形成される。第１の屈曲部１１５と第２の屈曲部１１６とは、キャップ本体１１１の天面１２３側から平面視をした場合に互いに重ならない。また、連結部１１３がキャップ本体１１１に接続された位置と、連結部１１３がリング部１１２に接続された位置とは重ならない。これにより、連結部１１３の第１の屈曲部１１５と第２の屈曲部１１６との間の中間部分１１７は、キャップ本体１１１の外周ひいてはキャップ本体１１１が蓋をしているポート部１５１の外周に沿って延びるので、連結部１１３のコネクタ１５０からの突出長は、屈曲形成部１３１の位置によって決まる。従って、キャップ本体１１１の操作性を向上させるために、連結部１１３の長さを長くしても、連結部１１３がコネクタ１５０の外側に大きく飛び出すことはない。
【００２７】
一方、図７に示すような従来のキャップをコネクタ１５０に取り付けた場合、連結部５１３がキャップ本体５１１に接続された位置と、連結部５１３がリング部５１２に接続された位置とは、ほぼ重なり、連結部５１３がポート部１５１の外周に沿うことはない。このため、連結部５１３の長さを長くすると、連結部１１３の突出長がそれに比例して大きくなる。
【００２８】
なお、本開示において、天面１２３側から平面視した場合に、第１の屈曲部１１５が延びる方向と中間部分１１７が延びる方向とがなす角（第１の屈曲部の屈曲角度）、及び第２の屈曲部１１６が延びる方向と中間部分１１７が延びる方向とがなす角（第２の屈曲部の屈曲角度）は、それぞれ好ましくは１２０°以下、より好ましくは９０°以下である。このようにすることにより、中間部１１７がキャップ本体１１１の外周及びポート部１５１の外周に沿って延びるようにできる。また、第１の屈曲部１１５及び第２の屈曲部１１６が袋を傷つけないようにする観点から、第１の屈曲部の屈曲角度及び第２の屈曲部の屈曲角度は、それぞれ好ましくは２０°以上、より好ましくは４０°以上である。なお、第１の屈曲部の屈曲角度と第２の屈曲部の屈曲角度とは同じにすることができるが、異なっていてもよい。
【００２９】
連結部１１３のキャップ本体１１１からの突出長をできるだけ小さくする観点から、キャップ本体１１１側の第１の屈曲形成部１３１は、できるだけキャップ本体１１１に近接させ、リング部１１２側の第２の屈曲形成部１３２は、できるだけリング部１１２に近接させて設けることが好ましい。具体的には、第１の屈曲形成部１３１とキャップ本体１１１及び第２の屈曲形成部１３２とリング部１１２との距離は、それぞれ連結部１１３の長さの、好ましくは１／３以下、より好ましくは１／４以下、さらに好ましくは１／５以下である。キャップ本体１１１の大きさ、連結部１１３の長さにもよるが、具体的な数値として、キャップ本体１１１の外径が１０ｍｍ程度の場合、好ましくは５ｍｍ以下、より好ましくは４ｍｍ以下である。加工性及び強度の観点からは、第１の屈曲形成部１３１とキャップ本体１１１及び第２の屈曲形成部１３２とリング部１１２との距離は、それぞれ連結部１１３の長さの、好ましくは１／１０以上、より好ましくは１／８以上である。キャップ本体１１１の大きさ、連結部１１３の長さにもよるが、例えばキャップ本体１１１の外径が１０ｍｍ程度の場合には、好ましくは１ｍｍ以上、より好ましくは２ｍｍ以上である。
【００３０】
第１の屈曲形成部１３１とキャップ本体１１１との間の距離と、第２の屈曲形成部１３２とリング部１１２との間の距離とは、同じにすることができるが、互いに異なっていてもよい。
【００３１】
連結部１１３の長さは特に限定されないが、キャップ本体１１１の操作性の観点及び連結部１１３の捻れが大きくなり破断することを避ける観点からは、キャップ本体１１１の外周長の好ましくは１／５以上、より好ましくは１／４以上、さらに好ましくは１／３以上である。また、キャップ本体１１１をポート部１５１から取り外した際に邪魔にならないようにする観点からは、キャップ本体１１１の周長の好ましくは１倍以下、より好ましくは３／４以下、さらに好ましくは２／３以下である。
【００３２】
連結部１１３の捻れを小さくする観点からは、ポート部１５１に蓋をした状態で、連結部１１３がキャップ本体１１１に接続された位置とキャップ本体１１１の中心とを結ぶ直線と、連結部１１３がリング部１１２に接続された位置とキャップ本体１１１の中心とを結ぶ直線とがなす角が好ましくは３０°以上、より好ましくは４５°以上、さらに好ましくは６０°以上となるようにすればよい。また、キャップ本体１１１をポート部１５１から取り外した際に邪魔にならないようにするという観点から、ポート部１５１に蓋をした状態で、連結部１１３がキャップ本体１１１に接続された位置とキャップ本体１１１の中心とを結ぶ直線と、連結部１１３がリング部１１２に接続された位置とキャップ本体１１１の中心とを結ぶ直線とがなす角が好ましくは２７０°以下、より好ましくは１８０°以下、さらに好ましくは１２０°以下となるようにすればよい。
【００３３】
第１の屈曲部１１５と第２の屈曲部１１６との間には屈曲部を設けず、天面１２３側から平面視した場合に、中間部１１７が直線的又は滑らかな曲線となるように延びている状態とすることができる。しかし、第１の屈曲部１１５と第２の屈曲部１１６との間に１つ以上の屈曲部が形成されるようにしてもよい。中間部１１７に屈曲部を設けることにより、各屈曲部の屈曲角度を大きくしても、中間部１１７がポート部１５１の外周に沿って延びるようにすることができる。
【００３４】
また、図１において、キャップ本体１１１の天面１２３と同じ側の面が削られて、肉薄部が設けられている例を示しているが、天面１２３と反対側の面が削られていたり、両面が削られていたりしてもよい。肉薄部の形状は、Ｖ字状、Ｕ字状又はコ字状等にすることができる。また、細い筋状の切れ込みとすることもできる。さらに、折り目形状を記憶しやすい材質で、熱加工等により使用状態において所定の位置に第１の屈曲部１１５及び第２の屈曲部１１６が形成できれば、肉薄部等の明確な屈曲形成部１３１を設けなくてもよい。
【００３５】
図１に示すように、連結部１１３は、キャップ本体１１１の開口端付近に接続されていることが好ましい。このようにすることにより、キャップ本体１１１を把持する際に連結部１１３が邪魔になりにくい。また、他の位置に接続されている場合と比べて、連結部１１３の長さを短くすることができる。但し、連結部１１３はキャップ本体１１１の他の部分に接続されていてもよい。
【００３６】
本実施形態のキャップ１１０は、連結部１１３に捻れが無い状態で、ポート部１５１の開口と、キャップ本体１１１の開口とが共に上側となるように、ポート部１５１に取り付けることができる。また、図５に示すように、連結部１１３に捻れが無い状態で、ポート部１５１の開口と、キャップ本体１１１の天面１２３とが共に上側となるように、ポート部１５１に取り付けることもできる。このように、ポート部１５１の開口と、キャップ本体１１１の天面１２３とが同じ側となるように取り付けた場合には、ポート部１５１の開口とキャップ本体１１１の開口とが共に上側となるように取り付けた場合と比較して、キャップ本体１１１をより捻ってポート部１５１に嵌合させる必要があり、その結果、連結部１１３の弾性力がより大きくなる。従って、キャップ本体１１１をポート部１５１から取り外した際に、連結部１１３の弾性力によりキャップ本体１１１がポート部１５１から離れた位置に移動しやすくなる。このため、開放状態とした際に邪魔にならず、ポート部１５１に別のコネクタ等を取り付ける操作が容易となる。その結果、コネクタ１５０の操作がより容易となる。
【００３７】
さらに、ポート部１５１の開口と、キャップ本体１１１の開口とを同じ側にした場合と比べて、連結部１１３の捻れが小さくなるため、連結部１１３が破断しにくくなるという利点も得られる。
【００３８】
本実施形態のキャップ１１０は、連結部１１３の変形性を確保する観点から、ある程度軟質の材料を用いて形成することが好ましい。具体的には、ポリエチレン及びポリプロピレン、ポリ塩化ビニル等の比較的軟質な樹脂材料、スチレン系、オレフィン系、ポリエステル系及びポリウレタン系等のエラストマー材料、イソプレンゴム、ブチルゴム及びシリコーンゴム等のゴム材料により形成することができる。
【００３９】
キャップ本体１１１、リング部１１２及び連結部１１３は、強度及び形成を容易にする観点から全体が一体に成形されていることが好ましい。但し、別々に成形した複数の部材を組み立てるようにすることもできる。
【００４０】
本実施形態においてコネクタ１５０が、血液回路等に用いられているチューブ１６０の端部に取り付けられている例を示した。しかし、コネクタ１５０はこのようなコネクタに限らず、例えば、他のオスコネクタ又はメスコネクタに取り付けて使用するコネクタとすることも、ボトル、シリンジ、ポンプ及びダイアライザ等の医療用装置と一体となっているコネクタ等とすることもできる。また、医療用のコネクタに限らず、他の用途に用いるコネクタであってもよい。コネクタ１５０は、通常用いられる樹脂材料等により形成することができる。
【産業上の利用可能性】
【００４１】
本開示のキャップは、ポート部に蓋をした状態において、連結部が大きく側方に飛び出すことがなく、医療用のコネクタ等に取り付けるキャップとして有用である。
【符号の説明】
【００４２】
１１０      キャップ
１１１      キャップ本体
１１２      リング部
１１３      連結部
１１５      第１の屈曲部
１１６      第２の屈曲部
１１７      中間部
１２１      ねじ山
１２３      天面
１２５      突部
１３１      屈曲形成部
１５０      コネクタ
１５１      ポート部
１５３      ねじ山
【図１】
2018157919.tif 000003
【図２】
2018157919.tif 000004
【図３】
2018157919.tif 000005
【図４】
2018157919.tif 000006
【図５】
2018157919.tif 000007
【図６】
2018157919.tif 000008
【図７】
2018157919.tif 000009